(57)【要約】【課題】操作部をスライド操作することで施解錠でき、操作性の良い戸を提供する。【解決手段】本発明にかかる戸１は、枠３に設けたラッチ受け１１と、扉５に設けた施錠部１３と、操作部９とを備え、施錠部１３は、台座１７と、ラッチ１９と、付勢部材２１とを有し、台座１７はラッチ１９が出没自在な開口部２７を有し、ラッチ１９は上下方向に傾斜した傾斜部３３を有し、付勢部材２１はラッチ１９を没方向に付勢しており、操作部９は上位置と下位置とにスライド自在であり、ラッチ１９の傾斜部３３を押圧可能な押圧部を有するものであり、操作部９が上位置にあるときにラッチ１９が付勢部材２１の付勢力に抗して突出してラッチ受け１１内に位置しており、操作部９が下位置にあるときには付勢部材２１の付勢力を解放してラッチ１９が台座１７内に没する。【選択図】図１
2015214823.tif 000002
【特許請求の範囲】
【請求項１】
枠に設けたラッチ受けと、扉に設けた施錠部と、操作部とを備え、施錠部は、台座と、ラッチと、付勢部材とを有し、台座はラッチが出没自在な開口部を有し、ラッチは上下方向に傾斜した傾斜部を有し、付勢部材はラッチを没方向に付勢しており、操作部は上位置と下位置とにスライド自在であり、ラッチの傾斜部を押圧可能な押圧部を有するものであり、操作部が上位置にあるときにラッチが付勢部材の付勢力に抗して突出してラッチ受け内に位置しており、操作部が下位置にあるときには付勢部材の付勢力を解放してラッチが台座内に没することを特徴とする戸。
【発明の詳細な説明】
【技術分野】
【０００１】
本発明は、戸に関する。
【背景技術】
【０００２】
特許文献１には、操作摘み（操作部）を回わすことでラッチを出没して、施解錠する戸が開示されている。
【先行技術文献】
【特許文献】
【０００３】
【特許文献１】特開２００１−２４８３４５号公報
【発明の概要】
【発明が解決しようとする課題】
【０００４】
しかし、特許文献１の戸では、操作部は小さな摘みを回して操作するので、高齢者や手の不自由な人には施解錠操作がし難いという不都合があった。
【０００５】
そこで、本発明は、操作部をスライド操作することで施解錠でき、操作性の良い戸の提供を目的とする。
【課題を解決するための手段】
【０００６】
請求項１に記載の発明は、枠に設けたラッチ受けと、扉に設けた施錠部と、操作部とを備え、施錠部は、台座と、ラッチと、付勢部材とを有し、台座はラッチが出没自在な開口部を有し、ラッチは上下方向に傾斜した傾斜部を有し、付勢部材はラッチを没方向に付勢しており、操作部は上位置と下位置とにスライド自在であり、ラッチの傾斜部を押圧可能な押圧部を有するものであり、操作部が上位置にあるときにラッチが付勢部材の付勢力に抗して突出してラッチ受け内に位置しており、操作部が下位置にあるときには付勢部材の付勢力を解放してラッチが台座内に没することを特徴とする戸である。
【発明の効果】
【０００７】
請求項１に記載の発明によれば、操作部を上下方向にスライド操作することで、戸の施解錠ができるから、従来技術のように摘みを回す操作に比較して、操作性が良い。
付勢部材はラッチを没方向に付勢しているので、万が一扉を勢いよく閉めた為に操作部が破損したり脱落した場合に、ラッチが付勢部材の付勢力を受けて没位置に位置し、解錠状態になるので、操作部が破損等した場合に室内に閉じ込められることを防止できる。
操作部の上位置にスライド操作することにより押圧部が傾斜部を押圧して、ラッチを突出する構成であるから、操作部が下位置にあるときの押圧部の位置が傾斜部の範囲内であれば動作可能であるから、加工誤差や取付誤差の影響を受け難い。
操作部は、上位置を施錠位置とし、下位置を解錠位置としているので、操作部を子供の手が届き難い高さに設けた場合に、施錠操作は更に高い位置への操作が必要になるから、子供が誤操作することを防止できる。
【図面の簡単な説明】
【０００８】
【図１】本発明の実施の形態にかかる戸の戸先側を示す断面図であり、（ａ）は施錠時の状態、（ｂ）は解錠時の状態である。
【図２】本発明の実施の形態にかかる戸が施錠状態にあるときの戸先側を示す図であり、（ａ）は扉の戸先側見込み面を示す側面図、（ｂ）は（ａ）に示すＡ−Ａ断面図、（ｃ）は（ｂ）に示すＢ−Ｂ断面図である。
【図３】図１に示す施錠部と操作部とを抜き出して示す斜視図であり、（ａ）は施錠状態であり、（ｂ）は解錠状態である。
【図４】台座を取り付ける前の戸先框と台座を抜き出して示す斜視図である。
【図５】本発明の実施の形態にかかる戸を脱衣室側（室外側）から見た正面図である。
【発明を実施するための形態】
【０００９】
以下に、添付図面を参照して本発明の実施の形態を説明する。
本実施の形態にかかる戸１は、浴室戸であり、図５に示すように、枠３と、扉５とを備えている。扉５の上方には、高さＨの位置に扉５を施解錠する錠７の操作部９が設けてある。高さＨは約１５０〜１７０ｃｍであり、操作部９は子供の手が届き難い位置にある。
図１に示すように、錠７は、枠３の戸先枠３ａに設けたラッチ受け１１と、ラッチ受け１１に対応する位置で扉５の戸先框５ａに設けた施錠部１３と、戸先框５ａの浴室側と脱衣室側との見付面に設けた操作部９で構成している。
ラッチ受け１１は、ねじ１５で戸先枠３ａの見込面に固定してあり、凹状の受部１１ａが形成してある。
【００１０】
施錠部１３は、台座１７と、ラッチ１９と、付勢部材２１とを有している。
図４及び図２（ｃ）に示すように、戸先框５ａにおいて、台座１７を取付ける位置には、見込面に形成した見込開口部２３と、浴室側面（室内側面）及び脱衣室側面（室外側面）に形成した見付開口部２５とが形成してある。また、図４に示すように、見込開口部２３には、脱衣室側に凹んだ凹み２４が形成してある。
図４及び図３に示すように、台座１７には、戸先框５ａの見込面に配置する座部１７ａと、ラッチ１９を収納するケース部１７ｂとが一体に形成されている。座部１７ａには、ラッチ１９が出没する開口部２７が形成されており、開口部２７は、戸先框５ａの戸先側から見た側面が略コ字形状を成し、上下方向中間位置に付勢部材受け２９が形成されている。
図４に示すように、ケース部１７ｂには脱衣室側面に突条２６が形成してあり、この突条２６を見込開口部２３に形成した凹み２４に配置して、図１に示すように、戸先框５ａの見込面にねじ２８で取付けている。
ラッチ１９は、ラッチ本体３１と、傾斜部３３とを備え、傾斜部３３はラッチ本体３１に対してラッチ１９が没する側（扉の内周側）に設けてある。
図２（ａ）及び図３に示すように、ラッチ本体３１は、上述した座部１７ａの開口部２７の形状に沿う形状を成し、戸先框５ａの戸先側から見た側面が略コ字形状を成すように凹んだ凹部３４を有している。
図１に示すように、傾斜部３３は、下傾斜面３３ａと上傾斜面３３ｂとの２つの傾斜面と、下傾斜面３３ａと上傾斜面３３ｂとの間に形成した上下方向の平坦面３３ｃとを備えている。平坦面３３ｃは、下傾斜面３３ａと上傾斜面３３ｂとに連続して設けてある。
下傾斜面３３ａは上方ほどラッチ１９が没する側に傾斜しており、上傾斜面３３ｂは下方ほどラッチ１９が没する側に傾斜している。この実施の形態では、下傾斜面３３ａが傾斜部３３として機能するものである。
【００１１】
図１に示すように、傾斜部３３にはラッチ本体３１の凹部３４が連続して形成してあり、この凹部３４は付勢部材２１の配置空間としてある。
付勢部材２１は、コイルばねであり、一端２１ａを台座１７の座部１７ａに形成した付勢部材受け２９（図２及び図４参照）に取付けてあり、他端２１ｂを凹部３４における平坦面３３ｃの裏側位置に取付けてある。この付勢部材２１はラッチ１９を没方向に付勢している。
尚、図４に示すように、台座１７のケース部１７ｂには、ラッチ１９の出没方向への移動を案内する案内孔３８が形成してあり、図１に示すようにラッチ１９にはこの案内孔３８内をスライドする突起４０が設けてある。
【００１２】
図１に示すように、操作部９は上位置と下位置とにスライド自在であり、図２（ｃ）に示すように、戸先框５ａの脱衣室側見付面と浴室側見付面とに各々設けてある。
図１（ａ）及び図２（ｃ）に示すように、操作部９は摘み３６と、ラッチ１９の傾斜部３３を押圧可能な押圧部３５を有しており、押圧部３５は戸先框５ａ内に配置してある。図１（ｂ）に示すように、押圧部３５は、上側に円弧面３５ａを有し、上下方向の中間位置には平坦面３５ｂが形成してある。図２（ｃ）に示すように、本実施の形態では、押圧部３５は浴室側の操作部９と脱衣室側の操作部９との連結部を兼ねており、浴室側の操作部９に形成してある突部３７が脱衣室側の操作部９に形成してある凹部３９に嵌合している。
【００１３】
次に、実施の形態にかかる戸１における錠７の取り付けについて説明する。図１及び図２に示すように、台座１７のケース部１７ｂに付勢部材２１と共にラッチ１９を収納した状態で、図４に示すように、戸先框５ａの見込面に形成した見込開口部２３に台座１７のケース部１７ｂを挿入して、座部１７ａを戸先框５ａの見込面に当てる。このとき、ケース部１７ｂの突条２６と見込開口２３の凹み２４とを一致させるように台座１７を配置する。尚、台座１７の左右（浴室側と脱衣室側）が反対になっていると、ケース部１７ｂの突条２６と見込開口部２３の凹み２４が一致しないので、ケース部１７ｂが戸先框５ａに挿入できない。
そして、図１に示すように、台座１７の座部１７ａをねじ２８で戸先框５ａの見込面に固定する。
一方、図２（ｃ）及び図４に示すように、戸先框５ａの浴室側と脱衣室側の見付開口部２５から、操作部９の押圧部３５を挿入し、一方の操作部９の突部３７と他方の操作部９の凹部３９を雄雌嵌合する。
戸先枠３ａの戸先側見込面には、ラッチ受け１１をねじ１５で固定する。
【００１４】
次に、戸１の作用について説明する。
扉５を閉じて施錠する前には、図１（ｂ）に示すように操作部９が下位置にあり、操作部９の押圧部３５も下傾斜面３３ａの下位置にある。この状態では、付勢部材２１は付勢力を解放しており、ラッチ１９が付勢部材２１の付勢力に押されてラッチ本体３１が台座１７の座部１７ａから没して位置する。尚、傾斜部３３は、台座１７のケース部１７ｂから後方（ラッチが没する方向）に突出して位置する。
扉５を施錠するときは、下位置にある操作部９を上方へスライド操作する。
操作部９の上方移動とともに押圧部３５が下位置から上方へ下傾斜面３３ａを付勢部材２１の付勢力に抗して押圧しつつ移動する。これにより、図１（ａ）に示すように、ラッチ１９は付勢部材２１の付勢力に抗して突出してラッチ受け１１の受部１１ａ内にラッチ本体３１が入り込む。更に、操作部９を上方へ移動して、押圧部３５が下傾斜面３３ａを過ぎて平坦面３３ｃに到達すると、押圧部３５の平坦面３５ｂが傾斜部３３の平坦面３３ｃに当接して停止する。これにより、ラッチ本体３１がラッチ受け１１の受部１１ａに入り込んだ位置が保持されて、扉５を施錠する。
施錠した扉５を解錠するときには、図１（ａ）の状態から操作部９を下方に移動すると押圧部３５の平坦面３５ｂが傾斜部３３の平坦面３３ｃから外れて下方へ移動し、押圧部３５の上円弧面３５ａが下傾斜面３３に当接しつつ下方に移動し、ラッチ１９が付勢部材２１の付勢力を解放する力を受けて没方向へ移動し、図１（ｂ）に示すように、操作部９を下位置にスライドしたところで、ラッチ本体３１が台座１７内に没しラッチ受け１１から外れる。これにより、扉５は解錠状態になる。
【００１５】
次に、第１実施の形態にかかる戸の効果について説明する。
第１実施の形態によれば、操作部９を上下方向にスライド操作することで、戸１の施解錠ができるから、従来技術のように摘みを回す操作に比較して、操作性が良い。
付勢部材２１はラッチ１９を没状態に付勢しているので、万が一扉を勢いよく閉めた為に操作部９が破損したり脱落した場合に、ラッチ１９が付勢部材２１の付勢力を受けて没位置に位置し、解錠状態になるので、操作部９が破損等した場合に浴室に閉じ込められることを防止できる。
操作部９を上位置にスライド操作することにより押圧部３５が傾斜部３３を押圧して、ラッチ１９を突出する構成であるから、操作部９が下位置にあるときの押圧部３５の位置が傾斜部３３の範囲内であれば動作可能であるから、加工誤差や取付誤差の影響を受け難い。
操作部９は、上位置を施錠位置とし、下位置を解錠位置としているので、図５に示すように、操作部９を子供の手が届き難い高さＨに設けていることにより、施錠操作は更に高い位置への操作が必要になるから、子供が誤操作することを防止できる。
【００１６】
図１に示すように、傾斜部３３は下傾斜面３３ａに連続する上下方向の平坦面３３ｃを有し、平坦面３３ｃは操作部９が上位置にあるときに押圧部３５がラッチ１９を押圧した状態で位置するので、平坦面３３ｃに操作部９の押圧部３５が位置することで、施錠位置を保持し易い。
更に、本実施の形態では、押圧部３５が傾斜部３３の平坦面３３ｃに当接している位置では、押圧部３５の平坦面３５ｂが当接するので、傾斜部３３と押圧部３５とで平坦面どうしが当接するから、施錠位置を安定に保持することができる。
押圧部３５は、傾斜部３３の下傾斜面３３ａの押圧は円弧面３５ａで行うので、傾斜面との当接がスムーズにできる。
図２（ｃ）及び図４に示すように、施錠部１３は戸先框５ａの見込み面に形成した見込開口部２３に挿入して取り付けてあり、戸先框５ａの見付面に形成した見付開口部２５から押圧部３５を挿入して操作部９を取付けてあるから、戸先框５ａの見付面と見込み面とに形成した開口部２３、２５に取付ける簡単な構造で、操作部９の上下操作によるラッチ１９の出没構造ができる。
操作部９、９を扉５の室内側と室外側とに設けて突起部３７と凹部３９とで雄雌結合しているので、両操作部９、９の結合が簡単にできるから、例えば操作部９の摘３６等に各種デザインのものを用意して、各種デザインのものを選択して取り付けることが簡単にできる。
ラッチ１９は傾斜部３３に下傾斜面３３ａと上傾斜面３３ｂとを設けると共に図２（ｂ）で示すＢ−Ｂ線で線対称に形成しているので、上下反転して用いることで、扉の左戸先（左勝手の扉）や右戸先（右勝手の扉）であっても同種のものを用いることができる。
図４に示すように、台座１７のケース部１７ｂに突条２６を設け、台座１７を取付ける戸先框５ａの見込開口部２３には突条２６に対応する凹部２４を設けているので、左右反転して装着する誤装着を防止できる。即ち、本実施の形態では、ラッチ本体３１は戸先側から見た形状が略コの字形状としている為、浴室側面と脱衣室側で見える形状が異なるが、台座１７を左右反転して取り付けることを防止することで、脱衣室側及び浴室側から見える形状を同じにできる。
【００１７】
本発明は、上述した実施の形態に限らず、本発明の要旨を逸脱しない範囲で種々変形可能である。
操作部９は脱衣室側と浴室側との両方に設けることに限らず、少なくとも脱衣室側にあれば良い。
押圧部３５の上側は、円弧面に限らず、角がある形状の面でも良い。
本発明にかかる戸１は、浴室戸にかかわらず、玄関戸や室内を仕切る戸であっても良い。
【符号の説明】
【００１８】
１    戸
３    枠
５    扉
９    操作部
１１  ラッチ受け
１３  施錠部
１７  台座
１９  ラッチ
２１  付勢部材
３３  傾斜部
【図１】
2015214823.tif 000003
【図２】
2015214823.tif 000004
【図３】
2015214823.tif 000005
【図４】
2015214823.tif 000006
【図５】
2015214823.tif 000007